(57)【特許請求の範囲】
【請求項１】
発光により画像を表示出力する画像表示デバイスと、
前記画像表示デバイスと対向する位置に配置されている半透明の特定の発色の半透明窓部と、
前記半透明窓部の周囲に位置する不透明の前記発色の不透明筐体と、
光反射率が２５〜７５％の半透明反射部材と、
を有し、
前記半透明窓部は、透明なプレートの第１領域であり、前記第１領域の前記画像表示デバイス側の面には前記発色の半透明発色層が設けられており、
前記不透明筐体は、前記プレートの前記第１領域の周囲に位置する第２領域であり、前記第２領域の前記画像表示デバイス側の面には前記発色の不透明発色層が設けられており、
前記半透明反射部材は前記画像表示デバイスの表面と前記半透明発色層との間隙に位置する
画像表示装置。
【請求項２】
前記画像表示デバイスの表面と前記半透明発色層との間隙に配置されている透明なデバイス保護プレートを、さらに有し、
前記デバイス保護プレートの表面に前記半透明反射部材が形成されている請求項１に記載の画像表示装置。
【請求項３】
前記画像表示デバイスの表面と前記半透明発色層との間隙に配置されている透明なデバイス保護プレートを、さらに有し、
前記デバイス保護プレートの裏面に前記半透明反射部材が形成されている請求項１に記載の画像表示装置。
【請求項４】
前記画像表示デバイスの表面に前記半透明反射部材が形成されている請求項１に記載の画像表示装置。
【請求項５】
前記半透明発色層の前記画像表示デバイス側の面に前記半透明反射部材が形成されている請求項１に記載の画像表示装置。
【請求項６】
前記半透明反射部材が非金属金属調積層フィルムからなる請求項１ないし５の何れか一項に記載の画像表示装置。
【請求項７】
前記半透明反射部材がアルミニウム蒸着膜からなる請求項１ないし５の何れか一項に記載の画像表示装置。
【請求項８】
前記半透明反射部材の光反射率が約３５％である請求項１ないし７の何れか一項に記載の画像表示装置。
【発明の詳細な説明】
【技術分野】
【０００１】
本発明は、画像表示デバイスにより画像を表示出力する画像表示装置に関し、特に、画像表示デバイスが発光により画像を表示する画像表示装置に関する。
【背景技術】
【０００２】
現在、携帯電話端末などに画像表示装置が利用されている。このような画像表示装置１００は、図４に示すように、発光により画像を表示出力する画像表示デバイス１１０と、画像表示デバイス１１０と対向する位置に配置されている半透明の特定の発色の半透明窓部１２０と、半透明窓部１２０の周囲に位置する不透明の発色の不透明筐体１３０と、画像表示デバイス１１０の表面と半透明窓部１２０の裏面との間隙に配置されている透明なデバイス保護プレート１４０と、を有する。
【０００３】
画像表示デバイス１１０は、例えば、有機ＥＬ(Electro-Luminescence)ディスプレイなどからなり、筐体１５０の内面に装着されている。画像表示デバイス１１０は、上述のように発光により画像を表示出力するため、画像を表示出力していないときには表面が黒色となる。
【０００４】
半透明窓部１２０と不透明筐体１３０とは、例えば、一体の透明なアクリルなどの樹脂スクリーン１５１を有する。この透明な樹脂スクリーン１５１の裏面の特定範囲にメジュームインクなどの半透明塗料１２１が塗布されることで半透明窓部１２０が形成されており、その周囲の裏面に不透明塗料１３１が塗布されることで不透明筐体１３０が形成されている。
【０００５】
上述の画像表示装置１００は、例えば、折り畳み構造の携帯電話端末の裏面表示部などに利用されている(図示せず)。その場合、画像を表示していない画像表示デバイス１１０の黒色が半透明窓部１２０から視認されてデザイン性を阻害することを防止するため、上述のように半透明窓部１２０に不透明筐体１３０と同色の半透明の塗料が塗布されている。
【０００６】
デバイス保護プレート１４０は、透明なアクリルなどの樹脂の平板からなり、画像表示デバイス１１０の表面と半透明窓部１２０の裏面との間隙に配置されている。デバイス保護プレート１４０は、柔軟な半透明窓部１２０から画像表示デバイス１１０を保護するため、所定の板厚に形成されている。
【０００７】
現在、上述のような画像表示装置に利用できる反射防止膜の提案がある。その反射防止膜は、基板の一主面上に、ケイ素、ケイ素酸化物、ケイ素窒化物のいずれかからなる接着層と、金属窒化物を含有する第１の光学薄膜と、屈折率が１．８以上である第２の光学薄膜と、屈折率が１．３５〜１．７の範囲である第３の光学薄膜とが、この順に積層形成されてなる。
【０００８】
このような反射防止膜は、密着性に優れ、透過率を調整でき、かつ、光学特性にも優れている（例えば、特許文献１参照）。
【先行技術文献】
【特許文献】
【０００９】
【特許文献１】特開２０００−２４１６０５号公報
【発明の概要】
【発明が解決しようとする課題】
【００１０】
上述の画像表示装置１００は、画像を表示していない画像表示デバイス１１０の黒色が半透明窓部１２０から視認されてデザイン性を阻害することを防止するため、半透明窓部１２０に不透明筐体１３０と同色の半透明の塗料が塗布されている。
【００１１】
しかし、不透明筐体１３０との一体感を向上させるために半透明窓部１２０の半透明塗料１２１を高濃度とすると、画像表示デバイス１１０が発光により表示する画像の視認性が低下することになる。
【００１２】
一方、画像表示デバイス１１０が発光により表示する画像の視認性を良好に維持するため、半透明窓部１２０の半透明塗料１２１を低濃度とすると、画像を表示していない画像表示デバイス１１０の黒色が半透明窓部１２０から良好に視認されることになり、不透明筐体１３０との一体感が阻害されることになる。
【００１３】
本発明は上述のような課題に鑑みてなされたものであり、不透明筐体と半透明窓部との一体感と画像表示デバイスの視認性とを両立させることができる画像表示装置を提供するものである。
【課題を解決するための手段】
【００１４】
本発明の画像表示装置は、発光により画像を表示出力する画像表示デバイスと、画像表示デバイスと対向する位置に配置されている半透明の特定の発色の半透明窓部と、半透明窓部の周囲に位置する不透明の発色の不透明筐体と、光反射率が２５〜７５％で画像表示デバイスの表面と半透明窓部の裏面との間隙に位置する半透明反射部材と、を有する。
【００１５】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００１６】
本発明の画像表示装置では、画像表示デバイスが発光により画像を表示出力する。画像表示デバイスと対向する位置に半透明の特定の発色の半透明窓部が配置されている。半透明窓部の周囲に不透明の発色の不透明筐体が位置する。光反射率が２５〜７５％で画像表示デバイスの表面と半透明窓部の裏面との間隙に半透明反射部材が位置する。このため、画像表示デバイスが発光により表示出力する画像は、半透明反射部材と半透明窓部とを介して外部から視認される。一方、画像表示デバイスが発光していないときには、外部から半透明窓部を透過した光線が半透明反射部材で反射され、半透明窓部を再度透過する。このため、この二度の透過により半透明窓部が周囲の不透明筐体と同等な発色に視認される。従って、画像表示デバイスが画像を表示していないときには、半透明窓部が周囲の不透明筐体と連続しているように視認させることができ、不透明筐体と半透明窓部との一体感と画像表示デバイスの視認性とを両立させることができる。
【図面の簡単な説明】
【００１７】
【図１】本発明の実施の形態の画像表示装置の内部構造を示す模式的な図２の矢視断面図である。
【図２】画像表示装置を有する携帯電話端末の外観を示す斜視図である。
【図３】画像表示装置を視認する状態を示す模式図である。
【図４】一従来例の画像表示装置の内部構造を示す縦断正面図である。
【発明を実施するための形態】
【００１８】
本発明の実施の一形態を図面を参照して以下に説明する。ただし、本実施の形態に関して前述した一従来例の画像表示装置１００と同一の部分は、同一の名称を使用して詳細な説明は省略する。
【００１９】
本実施の形態の画像表示装置２００は、図１および図２に示すように、折り畳み構造の携帯電話端末３００の裏面表示部に利用されている。本実施の形態の画像表示装置２００は、発光により画像を表示出力する画像表示デバイス１１０と、画像表示デバイス１１０と対向する位置に配置されている半透明の特定の発色の半透明窓部１２０と、半透明窓部１２０の周囲に位置する不透明の発色の不透明筐体１３０と、画像表示デバイス１１０の表面と半透明窓部１２０の裏面との間隙に配置されている透明なデバイス保護プレート１４０と、光反射率が２５〜７５％で画像表示デバイス１１０の表面と半透明窓部１２０の裏面との間隙に位置する半透明反射部材２１０と、を有する。
【００２０】
画像表示デバイス１１０は、従来と同様に有機ＥＬディスプレイなどからなり、筐体１５０の内面に装着されている。画像表示デバイス１１０は、上述のように発光により画像を表示出力するため、画像を表示出力していないときには表面が黒色となる。
【００２１】
半透明窓部１２０と不透明筐体１３０とは、一体の透明なアクリルなどの樹脂スクリーン１５１を有する。この透明な樹脂スクリーン１５１の裏面の特定範囲にメジュームインクなどの半透明塗料１２１が塗布されることで半透明窓部１２０が形成されており、その周囲の裏面に不透明塗料１３１が塗布されることで不透明筐体１３０が形成されている。
【００２２】
上述の画像表示装置２００は、例えば、画像を表示していない画像表示デバイス１１０の黒色が半透明窓部１２０から視認されてデザイン性を阻害することを防止するため、上述のように半透明窓部１２０に不透明筐体１３０と同色の白色などの半透明の塗料が塗布されている。
【００２３】
デバイス保護プレート１４０は、透明なアクリルなどの樹脂の平板からなり、画像表示デバイス１１０の表面と半透明窓部１２０の裏面との間隙に配置されている。デバイス保護プレート１４０は、柔軟な半透明窓部１２０から画像表示デバイス１１０を保護するため、所定の板厚に形成されている。
【００２４】
ただし、本実施の形態の画像表示装置２００では、デバイス保護プレート１４０の表面に、光反射率が約３５％で光透過率が約６５％の非金属金属調積層フィルムからなる半透明反射部材２１０が貼付されている。
【００２５】
上述のような構成において、本実施の形態の画像表示装置２００も、従来の画像表示装置１００と同様に、画像を表示していない画像表示デバイス１１０の黒色が半透明窓部１２０から視認されてデザイン性を阻害することを防止するため、半透明窓部１２０に不透明筐体１３０と同色の半透明の塗料が塗布されている。
【００２６】
ただし、本実施の形態の画像表示装置２００では、上述のようにデバイス保護プレート１４０の表面に、光反射率が約３５％の非金属金属調積層フィルムからなる半透明反射部材２１０が貼付されている。
【００２７】
このため、画像表示デバイス１１０が発光により表示出力する画像は、半透明反射部材２１０と半透明窓部１２０とを介して外部から良好に視認される。一方、画像表示デバイス１１０が発光していないときには、図３に示すように、外部から半透明窓部１２０を透過した光線が半透明反射部材２１０で反射され、半透明窓部１２０を再度透過する。
【００２８】
このため、この二度の透過により半透明窓部１２０が周囲の不透明筐体１３０と同等な発色に視認される。従って、画像表示デバイス１１０が画像を表示していないときには、半透明窓部１２０が周囲の不透明筐体１３０と連続しているように視認させることができる。このため、本実施の形態の画像表示装置２００では、不透明筐体１３０と半透明窓部１２０との一体感と画像表示デバイス１１０の視認性とを両立させることができる。
【００２９】
なお、本発明は本実施の形態に限定されるものではなく、その要旨を逸脱しない範囲で各種の変形を許容する。例えば、上記形態では画像表示デバイス１１０の表面と半透明窓部１２０の裏面との間隙に配置されている透明なデバイス保護プレート１４０の表面に、半透明反射部材２１０が形成されていることを例示した。
【００３０】
しかし、このような半透明反射部材２１０がデバイス保護プレート１４０の裏面に形成されていてもよい。また、画像表示デバイス１１０の表面に形成されていてもよく、半透明窓部１２０の半透明塗料１２１の裏面に形成されていてもよい(図示せず)。
【００３１】
なお、このように画像表示デバイス１１０の表面や半透明塗料１２１の裏面に半透明反射部材２１０が形成される場合、デバイス保護プレート１４０を省略することもできる(図示せず)。一方、デバイス保護プレートが必要な光反射率を発生するならば、デバイス保護プレートを半透明反射部材として利用することもできる(図示せず)。
【００３２】
また、上記形態では非金属金属調積層フィルムで半透明反射部材２１０が形成されていることを例示した。しかし、このような半透明反射部材をアルミニウム蒸着膜で形成することもできる(図示せず)。
【００３３】
さらに、上記形態では半透明反射部材２１０の光反射率が約３５％であることを例示した。しかし、本発明者は半透明反射部材２１０の光反射率および光透過率が２５〜７５％ならば効果があることを確認した。
【００３４】
また、上記形態では発光で画像を表示出力する画像表示デバイス１１０が有機ＥＬディスプレイからなることを例示した。しかし、このような画像表示デバイスが、ＬＥＤ(Light Emitting Diode)ディスプレイやバックライトを装備したＬＣＤ(Liquid Crystal Display)で形成されていてもよい(図示せず)。
【００３５】
さらに、上記形態では画像表示装置２００が折り畳み構造の携帯電話端末３００の裏面表示部に利用されていることを例示した。しかし、本実施の形態の画像表示装置２００は各種の表示部に利用することができ、例えば、折り畳み構造の携帯電話端末の表面表示部、スライド構造やソリッド構造の携帯電話端末の裏面表示部や表面表示部、折り畳み構造やスライド構造やソリッド構造のＰＤＡ（Personal Digital Assistance）や電子辞書の表示部、等にも利用することができる（図示せず）。
【００３６】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【符号の説明】
【００３７】
１００    画像表示装置
１１０    画像表示デバイス
１２０    半透明窓部
１２１    半透明塗料
１３０    不透明筐体
１３１    不透明塗料
１４０    デバイス保護プレート
１５０    筐体
１５１    樹脂スクリーン
２００    画像表示装置
２１０    半透明反射部材
３００    携帯電話端末
【図１】
0005550096.tif 000002
【図２】
0005550096.tif 000003
【図３】
0005550096.tif 000004
【図４】
0005550096.tif 000005